(57)【要約】  直接的な端末間通信であるＤ２Ｄ通信をサポートする移動通信システムであって、基地局との無線接続を確立するユーザ端末を有し、前記ユーザ端末は、該ユーザ端末の測定により得られた情報を示す端末測定情報を前記基地局に送信し、前記基地局を含むネットワークは、前記端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示する。
2014129356.tif 000002
【特許請求の範囲】
【請求項１】
直接的な端末間通信であるＤ２Ｄ通信をサポートする移動通信システムであって、
基地局との無線接続を確立するユーザ端末を有し、
前記ユーザ端末は、該ユーザ端末の測定により得られた情報を示す端末測定情報を前記基地局に送信し、
前記基地局を含むネットワークは、前記端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示することを特徴とする移動通信システム。
【請求項２】
前記端末測定情報は、前記ユーザ端末が測定した位置を示す位置情報であり、
前記ネットワークは、前記位置情報から求められた前記基地局と前記ユーザ端末との距離に基づいて、前記基地局に与える干渉が許容量を超えないか否かを判断することを特徴とする請求項１に記載の移動通信システム。
【請求項３】
前記端末測定情報は、前記ユーザ端末が測定した無線環境を示す無線環境情報であり、
前記ネットワークは、前記無線環境情報から求められた前記ユーザ端末が受信した受信電力強度及び前記基地局と前記ユーザ端末との間のパスロスの少なくともいずれかに基づいて、前記基地局に与える干渉が許容量を超えないか否かを判断することを特徴とする請求項１に記載の移動通信システム。
【請求項４】
前記ユーザ端末は、該ユーザ端末が前記Ｄ２Ｄ通信をサポートしているかを示すＤ２Ｄサポート情報を送信し、
前記ネットワークは、前記Ｄ２Ｄサポート情報に基づいて前記ユーザ端末が前記Ｄ２Ｄ通信をサポートしているか否かを判断し、
前記ネットワークは、前記ユーザ端末が前記Ｄ２Ｄ通信をサポートしていない場合には、前記ユーザ端末に前記Ｄ２Ｄ通信を開始するように指示しないことを特徴とする請求項１に記載の移動通信システム。
【請求項５】
前記ネットワークは、前記ユーザ端末が前記基地局に与える干渉が許容量を超えないと判断した場合で、かつ、前記ユーザ端末が前記ネットワークを経由して他のユーザ端末と通信を行っている場合に、前記ユーザ端末及び前記他のユーザ端末から前記Ｄ２Ｄ通信の要求がなくても、前記ユーザ端末と前記他のユーザ端末とが前記Ｄ２Ｄ通信を開始するように指示することを特徴とする請求項１に記載の移動通信システム。
【請求項６】
前記ネットワークは、前記ユーザ端末に前記Ｄ２Ｄ通信を行うことに同意するか否かを確認するための確認情報を送信し、
前記ネットワークは、前記ユーザ端末から前記Ｄ２Ｄ通信を行うことに同意が得られた場合に、前記ユーザ端末と前記他のユーザ端末とが前記Ｄ２Ｄ通信を開始するように指示することを特徴とする請求項５に記載の移動通信システム。
【請求項７】
前記ネットワークは、前記ユーザ端末が前記基地局との無線接続を確立した状態でのみ前記Ｄ２Ｄ通信を行う場合に、前記ユーザ端末に前記Ｄ２Ｄ通信を開始するように指示することを特徴とする請求項１に記載の移動通信システム。
【請求項８】
前記基地局との無線接続を確立する他のユーザ端末を有し、
前記ユーザ端末は、前記基地局との無線接続を確立した状態で前記他のユーザ端末と前記Ｄ２Ｄ通信を行っている場合に、前記端末測定情報を前記基地局に送信し、
前記ネットワークは、前記端末測定情報に基づいて前記ユーザ端末が前記Ｄ２Ｄ通信を行っている場合に前記基地局に与える干渉が許容量を超えると判断した場合に、前記ユーザ端末に前記Ｄ２Ｄ通信を終了するように指示することを特徴とする請求項１に記載の移動通信システム。
【請求項９】
前記ネットワークは、前記ユーザ端末に前記Ｄ２Ｄ通信を終了するように指示すると共に、前記ユーザ端末が前記ネットワークを経由して前記他のユーザ端末と通信を行うように指示することを特徴とする請求項８に記載の移動通信システム。
【請求項１０】
前記ユーザ端末は、前記Ｄ２Ｄ通信における通信相手端末の発見に使用される発見用信号を送信可能であり、
前記基地局は、前記発見用信号を送信する際に用いられる無線リソースの情報及び／又は送信電力の情報を含む関連情報を前記ユーザ端末に送信し、
前記ユーザ端末は、前記関連情報に対応した前記発見用信号を送信することを特徴とする請求項１に記載の移動通信システム。
【請求項１１】
前記ユーザ端末は、前記ユーザ端末と前記基地局との無線接続が確立されていない場合に、前記Ｄ２Ｄ通信のみを行うために無線接続を確立することを示す情報を、前記基地局との無線接続の確立の要求と共に送信することを特徴とする請求項１に記載の移動通信システム。
【請求項１２】
直接的な端末間通信であるＤ２Ｄ通信をサポートする移動通信システムであって、
基地局との無線接続を確立する３以上の複数のユーザ端末を有し、
前記複数のユーザ端末のそれぞれは、前記ユーザ端末のそれぞれが測定により得られた情報を示す端末測定情報を前記基地局に送信し、
前記基地局を含むネットワークは、前記端末測定情報に基づいて、前記複数のユーザ端末のそれぞれが前記Ｄ２Ｄ通信を行った場合に前記基地局に与える干渉が許容量より少ないか否かを判断し、
前記ネットワークは、前記複数のユーザ端末のうち前記基地局に与える干渉が許容量より少ないと判断されたユーザ端末にのみ前記Ｄ２Ｄ通信を開始するように指示することを特徴とする移動通信システム。
【請求項１３】
直接的な端末間通信であるＤ２Ｄ通信をサポートする移動通信システムにおける基地局であって、
前記基地局を含むネットワークは、前記基地局との無線接続を確立するユーザ端末から送信された端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示する制御部を有し、
前記端末測定情報は、前記ユーザ端末の測定により得られた情報を示すことを特徴とする基地局。
【請求項１４】
直接的な端末間通信であるＤ２Ｄ通信をサポートする移動通信システムにおけるユーザ端末であって、
前記ユーザ端末が前記Ｄ２Ｄ通信を行う能力を有しているかを示すＤ２Ｄ能力情報を基地局に送信する送信部を有することを特徴とするユーザ端末。
【請求項１５】
直接的な端末間通信であるＤ２Ｄ通信をサポートする移動通信システムにおける基地局に備えられるプロセッサであって、
前記基地局を含むネットワークは、前記基地局との無線接続を確立するユーザ端末から送信された端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示する処理を実行し、
前記端末測定情報は、前記ユーザ端末により得られた情報を示すことを特徴とするプロセッサ。
【請求項１６】
直接的な端末間通信であるＤ２Ｄ通信をサポートする移動通信システムにおけるユーザ端末に備えられるプロセッサであって、
前記ユーザ端末が前記Ｄ２Ｄ通信を行う能力を有しているかを示すＤ２Ｄ能力情報を基地局に送信する処理を実行することを特徴とするプロセッサ。
【発明の詳細な説明】
【技術分野】
【０００１】
本発明は、Ｄ２Ｄ通信をサポートする移動通信システム、基地局、ユーザ端末及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信は、近接する複数のユーザ端末が、移動通信システムに割り当てられた周波数帯域内で直接的な無線通信を行うものである。なお、Ｄ２Ｄ通信は、近傍サービス（Ｐｒｏｘｉｍｉｔｙ  Ｓｅｒｖｉｃｅ）通信と称されることもある。
【先行技術文献】
【非特許文献】
【０００４】
【非特許文献１】３ＧＰＰ技術報告  「ＴＲ  ２２．８０３  Ｖ１２．０．０」  ２０１２年１２月
【発明の概要】
【０００５】
現状の仕様においては、Ｄ２Ｄ通信を適切に制御するための仕組みが存在しない。このため、ユーザ端末が自由にＤ２Ｄ通信を行った場合、基地局は、Ｄ２Ｄ通信におけるユーザ端末の送信電力により、干渉を受けることがある。
【０００６】
そこで、本発明は、Ｄ２Ｄ通信を行うユーザ端末による基地局への干渉を抑制できる移動通信システム、基地局、ユーザ端末及びプロセッサを提供する。
【０００７】
一実施形態によれば、移動通信システムは、直接的な端末間通信であるＤ２Ｄ通信をサポートする。移動通信システムは、基地局との無線接続を確立するユーザ端末を有する。前記ユーザ端末は、該ユーザ端末の測定により得られた情報を示す端末測定情報を前記基地局に送信し、前記基地局を含むネットワークは、前記端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示する。
【図面の簡単な説明】
【０００８】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、セルラ通信におけるデータパスを示す図である。
【図６】図６は、Ｄ２Ｄ通信におけるデータパスを示す図である。
【図７】図７は、第１実施形態に係る移動通信システムの動作を説明するための図である。
【図８】図８は、第１実施形態に係る移動通信システムの動作例を示すシーケンス図である。
【図９】図９（ａ）は、ｅＮＢ２００、ＵＥ１００−１及びＵＥ１００−２間の距離を説明するための図である。図９（ｂ）は、ｅＮＢ２００、ＵＥ１００−１及びＵＥ１００−２のそれぞれが受信する信号の受信電力強度及び受信品質を説明するための図である。
【図１０】図１０は、第１実施形態の変形例に係る移動通信システムの動作例を示すシーケンス図である。
【図１１】図１１は、第２実施形態に係る移動通信システムの動作例を示すシーケンス図である。
【図１２】図１２は、第３実施形態に係る移動通信システムの動作例を示すシーケンス図である。
【図１３】図１３は、第３実施形態の変形例に係る移動通信システムの動作例を示すシーケンス図である。
【発明を実施するための形態】
【０００９】
［実施形態の概要］
実施形態に係る移動通信システムは、直接的な端末間通信であるＤ２Ｄ通信をサポートする移動通信システムであって、基地局との無線接続を確立するユーザ端末を有し、前記ユーザ端末は、該ユーザ端末の測定により得られた情報を示す端末測定情報を前記基地局に送信し、前記基地局を含むネットワークは、前記端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示する。これにより、ネットワークが、ユーザ端末がＤ２Ｄ通信を行った場合に基地局に与える干渉が許容量を超えると判断した場合には、ユーザ端末は、Ｄ２Ｄ通信を開始しないため、基地局がユーザ端末からＤ２Ｄ通信による干渉を受けることを抑制することができる。
【００１０】
第１実施形態において、前記端末測定情報は、前記ユーザ端末が測定した位置を示す位置情報であり、前記ネットワークは、前記位置情報から求められた前記基地局と前記ユーザ端末との距離に基づいて、前記基地局に与える干渉が許容量を超えないか否かを判断する。これにより、ネットワークは、基地局又はユーザ端末における偶発的な無線環境の変化に左右されずに判断することができるため、判断の安定化を図ることができる。
【００１１】
第１実施形態において、前記端末測定情報は、前記ユーザ端末が測定した無線環境を示す無線環境情報であり、前記ネットワークは、前記無線環境情報から求められた前記ユーザ端末が受信した受信電力強度及び前記基地局と前記ユーザ端末との間のパスロスの少なくともいずれかに基づいて、前記基地局に与える干渉が許容量を超えないか否かを判断する。これにより、ネットワークは、ユーザ端末の実際の無線環境に基づいて判断するため、判断の精度を高くすることができる。
【００１２】
第１実施形態において、前記ユーザ端末は、該ユーザ端末が前記Ｄ２Ｄ通信をサポートしているかを示すＤ２Ｄサポート情報を送信し、前記ネットワークは、前記Ｄ２Ｄサポート情報に基づいて前記ユーザ端末が前記Ｄ２Ｄ通信をサポートしているか否かを判断し、前記ネットワークは、前記ユーザ端末が前記Ｄ２Ｄ通信をサポートしていない場合には、前記ユーザ端末に前記Ｄ２Ｄ通信を開始するように指示しない。これにより、ネットワークは、Ｄ２Ｄ通信をサポートしていないユーザ端末に対して、Ｄ２Ｄ通信を行わせるかを判断するための無駄な端末測定情報の要求をせずにすむ。
【００１３】
第１実施形態において、前記ネットワークは、前記ユーザ端末が前記基地局に与える干渉が許容量を超えないと判断した場合で、かつ、前記ユーザ端末が前記ネットワークを経由して他のユーザ端末と通信を行っている場合に、前記ユーザ端末及び前記他のユーザ端末から前記Ｄ２Ｄ通信の要求がなくても、前記ユーザ端末と前記他のユーザ端末とが前記Ｄ２Ｄ通信を開始するように指示する。これにより、ユーザ端末及び他のユーザ端末がＤ２Ｄ通信を行うため、基地局のトラフィックの負荷を低減することができる。
【００１４】
第１実施形態において、前記ネットワークは、前記ユーザ端末に前記Ｄ２Ｄ通信を行うことに同意するか否かを確認するための確認情報を送信し、前記ネットワークは、前記ユーザ端末から前記Ｄ２Ｄ通信を行うことに同意が得られた場合に、前記ユーザ端末と前記他のユーザ端末とが前記Ｄ２Ｄ通信を開始するように指示する。これにより、ユーザ端末を使用するユーザの意図に反して、ネットワークがユーザ端末に強制的にＤ２Ｄ通信を行わせることを抑制できる。
【００１５】
第１実施形態において、前記ネットワークは、前記ユーザ端末が前記基地局との無線接続を確立した状態でのみ前記Ｄ２Ｄ通信を行う場合に、前記ユーザ端末に前記Ｄ２Ｄ通信を開始するように指示する。これにより、ネットワークは、ユーザ端末がＤ２Ｄ通信を行っていても、ユーザ端末を制御することが可能である。
【００１６】
第１実施形態において、前記基地局との無線接続を確立する他のユーザ端末を有し、前記ユーザ端末は、前記基地局との無線接続を確立した状態で前記他のユーザ端末と前記Ｄ２Ｄ通信を行っている場合に、前記端末測定情報を前記基地局に送信し、前記ネットワークは、前記端末測定情報に基づいて前記ユーザ端末が前記Ｄ２Ｄ通信を行っている場合に前記基地局に与える干渉が許容量を超えると判断した場合に、前記ユーザ端末に前記Ｄ２Ｄ通信を終了するように指示する。これにより、ネットワークは、Ｄ２Ｄ通信の開始の制御だけでなく、Ｄ２Ｄ通信の終了の制御も行うため、基地局がユーザ端末からＤ２Ｄ通信による干渉を受けることをより抑制することができる。
【００１７】
第１実施形態において、前記ネットワークは、前記ユーザ端末に前記Ｄ２Ｄ通信を終了するように指示すると共に、前記ユーザ端末が前記ネットワークを経由して前記他のユーザ端末と通信を行うように指示する。これにより、ネットワークは、ユーザ端末の通信を終了させずに、ユーザ端末から干渉を受けることを抑制することができる。
【００１８】
第２実施形態において、前記ユーザ端末は、前記Ｄ２Ｄ通信における通信相手端末の発見に使用される発見用信号を送信可能であり、前記基地局は、前記発見用信号を送信する際に用いられる無線リソースの情報及び／又は送信電力の情報を含む関連情報を前記ユーザ端末に送信し、前記ユーザ端末は、前記関連情報に対応した前記発見用信号を送信する。これにより、ユーザ端末が送信する発見用信号が、ユーザ端末の近傍に存在する別のユーザ端末への干渉信号となることを抑制できる。
【００１９】
第３実施形態において、前記ユーザ端末は、前記ユーザ端末と前記基地局との無線接続が確立されていない場合に、前記Ｄ２Ｄ通信のみを行うために無線接続を確立することを示す情報を、前記基地局との無線接続の確立の要求と共に送信する。これにより、通常の無線接続の確立において必要な情報であり、かつ、Ｄ２Ｄ通信のみを行うための無線接続の確立において必要でない情報の送受信を省略することができる。
【００２０】
第３実施形態において、直接的な端末間通信であるＤ２Ｄ通信をサポートする移動通信システムであって、基地局との無線接続を確立する３以上の複数のユーザ端末を有し、前記複数のユーザ端末のそれぞれは、前記ユーザ端末のそれぞれが測定により得られた情報を示す端末測定情報を前記基地局に送信し、前記基地局を含むネットワークは、前記端末測定情報に基づいて、前記複数のユーザ端末のそれぞれが前記Ｄ２Ｄ通信を行った場合に前記基地局に与える干渉が許容量より少ないか否かを判断し、前記ネットワークは、前記複数のユーザ端末のうち前記基地局に与える干渉が許容量より少ないと判断されたユーザ端末にのみ前記Ｄ２Ｄ通信を開始するように指示する。これにより、Ｄ２Ｄ通信を有効に活用しつつも、基地局がユーザ端末からＤ２Ｄ通信による干渉を受けることを抑制することができる。
【００２１】
実施形態において、直接的な端末間通信であるＤ２Ｄ通信をサポートする移動通信システムにおける基地局であって、前記基地局を含むネットワークは、前記基地局との無線接続を確立するユーザ端末から送信された端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示する制御部を有し、前記端末測定情報は、前記ユーザ端末の測定により得られた情報を示す。
【００２２】
実施形態において、直接的な端末間通信であるＤ２Ｄ通信をサポートする移動通信システムにおけるユーザ端末であって、前記ユーザ端末が前記Ｄ２Ｄ通信を行う能力を有しているかを示すＤ２Ｄ能力情報を基地局に送信する送信部を有する。
【００２３】
実施形態において、直接的な端末間通信であるＤ２Ｄ通信をサポートする移動通信システムにおける基地局に備えられるプロセッサであって、前記基地局を含むネットワークは、前記基地局との無線接続を確立するユーザ端末から送信された端末測定情報に基づいて、前記ユーザ端末が前記Ｄ２Ｄ通信を行った場合に前記基地局に与える干渉が許容量を超えないと判断した場合に、前記ユーザ端末に前記Ｄ２Ｄ通信を開始するように指示する処理を実行し、前記端末測定情報は、前記ユーザ端末により得られた情報を示す。
【００２４】
実施形態において、直接的な端末間通信であるＤ２Ｄ通信をサポートする移動通信システムにおけるユーザ端末に備えられるプロセッサであって、前記ユーザ端末が前記Ｄ２Ｄ通信を行う能力を有しているかを示すＤ２Ｄ能力情報を基地局に送信する処理を実行する。
【００２５】
以下、図面を参照して、３ＧＰＰ規格に準拠して構成されるセルラ移動通信システム（以下、「ＬＴＥシステム」）にＤ２Ｄ通信を導入する場合の各実施形態を説明する。
【００２６】
［第１実施形態］
以下、第１実施形態について、説明する。
【００２７】
（ＬＴＥシステム）
図１は、本実施形態に係るＬＴＥシステムの構成図である。
【００２８】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２９】
ＵＥ１００は、移動型の無線通信装置であり、接続を確立したセル（サービングセル）との無線通信を行う。ＵＥ１００はユーザ端末に相当する。
【００３０】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００３１】
なお、「セル」は、無線通信エリアの最小単位を示す用語として使用される他に、ＵＥ１００との無線通信を行う機能を示す用語としても使用される。
【００３２】
ｅＮＢ２００は、例えば、無線リソース管理（ＲＲＭ）機能と、ユーザデータのルーティング機能と、モビリティ制御及びスケジューリングのための測定制御機能と、を有する。
【００３３】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００と、を含む。また、ＥＰＣ２０は、コアネットワークに相当する。
【００３４】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３５】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３６】
ＯＡＭ４００は、オペレータによって管理されるサーバ装置であり、Ｅ−ＵＴＲＡＮ１０の保守及び監視を行う。
【００３７】
次に、ＵＥ１００及びｅＮＢ２００の構成を説明する。
【００３８】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３９】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４０】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４２】
ＧＮＳＳ受信機１３０は、ＵＥ１００の地理的な位置を示す位置情報を得るために、ＧＮＳＳ信号を受信して、受信した信号をプロセッサ１６０に出力する。
【００４３】
バッテリ１４０は、ＵＥ１００の各ブロックに供給すべき電力を蓄える。
【００４４】
メモリ１５０は、プロセッサ１６０によって実行されるプログラムと、プロセッサ１６０による処理に使用される情報と、を記憶する。
【００４５】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４６】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４７】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４９】
メモリ２３０は、プロセッサ２４０によって実行されるプログラムと、プロセッサ２４０による処理に使用される情報と、を記憶する。
【００５０】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５１】
図４は、ＬＴＥシステムにおける無線インターフェイスのプロトコルスタック図である。
【００５２】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５３】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５６】
ＰＤＣＰレイヤは、ヘッダ圧縮・伸張、及び暗号化・復号化を行う。
【００５７】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５８】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５９】
（Ｄ２Ｄ通信）
次に、ＬＴＥシステムの通常の通信（セルラ通信）とＤ２Ｄ通信とを比較して説明する。
【００６０】
図５は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６１】
図５に示すように、セルラ通信のデータパスはネットワークを経由する。詳細には、ｅＮＢ２００−１、Ｓ−ＧＷ３００、及びｅＮＢ２００−２を経由するデータパスが設定される。
【００６２】
図６は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６３】
図６に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。なお、Ｌｏｃａｌｌｙ  Ｒｏｕｔｅｄというモード（局所中継モード）では、データパスがＳ−ＧＷ３００を経由せずにｅＮＢ２００を経由する。
【００６４】
なお、Ｄ２Ｄ通信が開始されるケースとして、（ａ）相手端末（近傍端末）を発見するための動作を行うことによって相手端末を発見した後に、Ｄ２Ｄ通信が開始されるケースと、（ｂ）相手端末（近傍端末）を発見するための動作を行わずにＤ２Ｄ通信が開始されるケースがある。
【００６５】
例えば、上記（ａ）のケースでは、ＵＥ１００−１及びＵＥ１００−２のうち一方のＵＥ１００が、近傍に存在する他方のＵＥ１００を発見することで、Ｄ２Ｄ通信が開始される。
【００６６】
このケースの場合、ＵＥ１００は、相手端末を発見するために、自身の近傍に存在する他のＵＥ（近傍端末）１００を発見する（Ｄｉｓｃｏｖｅｒ）機能、及び／又は、ＵＥ１００は、他のＵＥ１００から発見される(Ｄｉｓｃｏｖｅｒａｂｌｅ)機能を有する。
【００６７】
具体的には、ＵＥ１００−１は、相手端末（近傍端末）を発見するため又は相手端末（近傍端末）に発見されるために用いられる発見信号（Ｄｉｓｃｏｖｅｒｙ信号／Ｄｉｓｃｏｖｅｒａｂｌｅ信号）を送信する。発見信号を受信したＵＥ１００−２は、ＵＥ１００−１を発見する。ＵＥ１００−２が、発見信号に対する応答を送信することで、発見信号を送信したＵＥ１００−１は、相手端末であるＵＥ１００−２を発見する。
【００６８】
なお、ＵＥ１００は、相手端末を発見しても必ずしもＤ２Ｄ通信を行う必要はなく、例えば、ＵＥ１００−１及びＵＥ１００−２は、互いに相手を発見した後に、ネゴシエーションを行って、Ｄ２Ｄ通信を行うか否かを判定してもよい。ＵＥ１００−１及びＵＥ１００−２のそれぞれは、Ｄ２Ｄ通信を行うことに同意した場合に、Ｄ２Ｄ通信を開始する。なお、ＵＥ１００−１は、相手端末を発見した後にＤ２Ｄ通信を行わなかった場合、上位レイヤ（例えば、アプリケーションなど）に近傍のＵＥ１００（すなわち、ＵＥ１００−２）の発見を報告してもよい。例えば、アプリケーションは、当該報告に基づく処理（例えば、ＵＥ１００−２の位置を地図情報にプロットする処理など）を実行できる。
【００６９】
また、ＵＥ１００は、相手端末を発見したことをｅＮＢ２００に報告し、相手端末との通信をセルラ通信によって行うかＤ２Ｄ通信によって行うかの指示をｅＮＢ２００から受けることも可能である。
【００７０】
一方、上記（ｂ）のケースでは、例えば、ＵＥ１００−１は、相手端末を特定せずに、Ｄ２Ｄ通信用の信号の送信（ブロードキャストによる報知など）を開始する。これにより、ＵＥ１００は、相手端末の発見の有無にかかわらず、Ｄ２Ｄ通信を開始できる。なお、Ｄ２Ｄ通信用の信号の待ち受け動作を行っているＵＥ１００−２は、ＵＥ１００−１からの当該信号に基づいて、同期又は／及び復調を行う。
【００７１】
（第１実施形態に係る移動通信システムの動作）
次に、第１実施形態に係る移動通信システムの動作について、図７から図９を用いて説明する。図７は、第１実施形態に係る移動通信システムの動作を説明するための図である。図８は、第１実施形態に係る移動通信システムの動作例を示すシーケンス図である。
【００７２】
図７に示すように、ＵＥ１００−１及びＵＥ１００−２は、ｅＮＢ２００が管理するセル２５０に存在する。また、図７及び図８に示すように、ＵＥ１００−１及びＵＥ１００−２のそれぞれは、ｅＮＢ２００との接続を確立しており、ＵＥ１００−１及びＵＥ１００−２は、コアネットワークを経由したセルラ通信を行っている。
【００７３】
図８に示すように、ステップ１０１において、ＵＥ１００−１は、ＵＥ１００−１がＤ２Ｄ通信をサポートしているかを示すＤ２Ｄサポート情報をｅＮＢ２００に送信する。同様に、ＵＥ１００−２は、Ｄ２Ｄサポート情報をｅＮＢ２００に送信する。ｅＮＢ２００は、Ｄ２Ｄサポート情報を受信する。
【００７４】
Ｄ２Ｄサポート情報としては、例えば、（ａ）セルラ通信をサポートしている全ての帯域において、ＵＥ１００が上りリンク及び下りリンクを用いたＤ２Ｄ通信をサポートしていることを示す情報（Ｄ２Ｄ  ｃａｐａｂｉｌｉｔｙ）、（ｂ）セルラ通信をサポートしている全ての帯域において、ＵＥ１００が上りリンク及び／又は下りリンクを用いたＤ２Ｄ通信をサポートしていることを示す情報（Ｄ２Ｄ  ｃａｐａｂｉｌｉｔｙ  ｐｅｒ  ＵＬ／ＤＬ）、（ｃ）所定の帯域において、ＵＥ１００が上りリンク及び下りリンクを用いたＤ２Ｄ通信をサポートしていることを示す情報（Ｄ２Ｄ  ｃａｐａｂｉｌｉｔｙ  ｐｅｒ  ｂａｎｄ）、（ｄ）所定の帯域において、ＵＥ１００が上りリンク及び／又は下りリンクを用いたＤ２Ｄ通信をサポートしていることを示す情報（Ｄ２Ｄ  ｃａｐａｂｉｌｉｔｙ  ｐｅｒ  ｂａｎｄ  ＋ＵＬ／ＤＬ）、（ｅ）上りリンクの所定の帯域及び／又は下りリンクの所定の帯域において、ＵＥ１００が上りリンク及び／又は下りリンクを用いたＤ２Ｄ通信をサポートしていることを示す情報（Ｄ２Ｄ  ｃａｐａｂｉｌｉｔｙ  ｐｅｒ  ＵＬ／ＤＬ  ｐｅｒ  ｂａｎｄ）、が挙げられる。
【００７５】
Ｄ２Ｄサポート情報は、ＵＥ  Ｃａｐａｂｉｌｉｔｙ  Ｉｎｆｏｍａｔｉｏｎを用いて、ｅＮＢ２００に通知してもよい。Ｄ２Ｄサポート情報のために、新たなＦＧＩ  ｂｉｔが規定されてもよい。また、Ｄ２Ｄサポート情報は、ＵＥ  ＥＵＴＲＡ  Ｃａｐａｂｉｌｉｔｙに含まれてもよい。
【００７６】
ステップ１０２において、ｅＮＢ２００は、ＵＥ１００−１及びＵＥ１００−２のそれぞれが、Ｄ２Ｄ通信をサポートしているかを判断する。具体的には、ｅＮＢ２００は、Ｄ２Ｄサポート情報に基づいて、上りリンク及び／又は下りリンクにおいてｅＮＢ２００がＤ２Ｄ通信用に確保している帯域において、ＵＥ１００−１及びＵＥ１００−２のそれぞれがＤ２Ｄ通信をサポートしているかを判断する。
【００７７】
ステップ１０３において、ｅＮＢ２００は、ＵＥ１００−１及びＵＥ１００−２のそれぞれに、端末測定情報を要求する。ＵＥ１００−１及びＵＥ１００−２のそれぞれは、端末測定情報要求を受信する。端末測定情報の詳細については、後述する。
【００７８】
また、本実施形態において、ｅＮＢ２００は、端末測定情報の要求と共に、ＵＥ１００−１及びＵＥ１００−２がＤｉｓｃｏｖｅｒｙを実施することを要求する。
【００７９】
また、本実施形態において、ｅＮＢ２００は、端末測定情報の要求と共に、確認情報を送信する。ＵＥ１００−１及びＵＥ１００−２のそれぞれは、確認情報を受信する。
【００８０】
確認情報は、ＵＥ１００にＤ２Ｄ通信を行うことに同意するか否かを確認するための情報である。ＵＥ１００−１及びＵＥ１００−２のそれぞれは、確認情報を受信した場合、ユーザインターフェイス１２０に含まれるディスプレイにＤ２Ｄ通信を行うことに同意するか否かを示す情報を表示してもよい。
【００８１】
ステップ１０４において、ＵＥ１００−１及びＵＥ１００−２のそれぞれは、測定を実施する。具体的には、ＵＥ１００−１及びＵＥ１００−２のそれぞれは、位置及び無線環境の少なくとも一方を測定する。
【００８２】
ＵＥ１００−１は、無線環境を測定する場合、ｅＮＢ２００から受信した信号の受信電力強度（例えば、ＲＳＲＰ）及び／又は受信品質（例えば、ＲＳＲＱ）を測定する。また、ＵＥ１００−１は、相手端末であるＵＥ１００−２から受信した信号の受信電力強度及び／又は受信品質を測定する。ＵＥ１００−２も、ＵＥ１００−１と同様に、無線環境を測定する。
【００８３】
ステップ１０５において、ＵＥ１００−１及びＵＥ１００−２は、Ｄｉｓｃｏｖｅｒｙを実施する。例えば、ＵＥ１００−１は、Ｄ２Ｄ通信における通信相手端末の発見に使用される発見用信号（以下、Ｄｉｓｃｏｖｅｒｙ信号と称する）を送信する。ＵＥ１００−２は、Ｄｉｓｃｏｖｅｒｙ信号を受信した場合、Ｄｉｓｃｏｖｅｒｙ信号に対する応答信号（Ｄｉｓｃｏｖｅｒｙ応答信号）をＵＥ１００−１に送信する。ＵＥ１００−１は、Ｄｉｓｃｏｖｅｒｙ応答信号を受信する。
【００８４】
ステップ１０６において、ＵＥ１００−１及びＵＥ１００−２のそれぞれは、端末測定情報を送信する。ｅＮＢ２００は、端末測定情報を受信する。
【００８５】
端末測定情報は、ＵＥ１００の測定により得られた情報を示す。具体的には、端末測定情報は、上述したステップ１０４において測定により得られた情報であり、ＵＥ１００の位置を示す位置情報（詳細位置情報：ｄｅｔａｉｌｅｄ  ｌｏｃａｔｉｏｎ  Ｉｎｆｏｍａｔｉｏｎ）又はＵＥ１００の無線環境を示す無線環境情報の少なくとも一方が挙げられる。
【００８６】
ＵＥ１００−１は、端末測定情報として、ステップ１０４において測定された情報を送信する。また、ＵＥ１００−１は、ステップ１０４において測定された情報に基づいて得られた情報（例えば、パスロス情報）を端末測定情報として送信してもよい。ＵＥ１００−２も、ＵＥ１００−１と同様に、端末測定情報を送信する。
【００８７】
なお、パスロス情報は、例えば、参照信号に含まれる送信電力強度と、参照信号の受信電力強度との差により得られる。
【００８８】
ＵＥ１００−１及びＵＥ１００−２のそれぞれは、ｅＮＢ２００からの指示に従って、定期的に端末測定情報を送信してもよい。または、ＵＥ１００−１及びＵＥ１００−２のそれぞれは、ｅＮＢ２００から指定された所定のイベントをトリガとして、端末測定情報を送信してもよい。本実施形態において、ＵＥ１００−１及びＵＥ１００−２のそれぞれは、端末測定情報の要求をトリガとして、端末測定情報を送信する。
【００８９】
本実施形態において、ＵＥ１００−１及びＵＥ１００−２のそれぞれは、端末測定情報と共に、Ｄ２Ｄ端末発見情報を送信する。ｅＮＢ２００は、Ｄ２Ｄ端末発見情報を受信する。
【００９０】
Ｄ２Ｄ端末発見情報は、Ｄ２Ｄ通信における通信相手端末を発見したこと又は発見できなかったことを示す情報である。
【００９１】
本実施形態において、ＵＥ１００−１は、Ｄｉｓｃｏｖｅｒｙ応答信号を受信し、ＵＥ１００−２は、Ｄｉｓｃｏｖｅｒｙ信号を受信しているため、ＵＥ１００−１及びＵＥ１００−２のそれぞれは、Ｄ２Ｄ端末発見情報として、Ｄ２Ｄ通信における通信相手端末を発見したことを示す情報を送信する。
【００９２】
なお、ＵＥ１００−１は、Ｄｉｓｃｏｖｅｒｙ信号を送信して、Ｄｉｓｃｏｖｅｒｙ応答信号を所定時間受信しなかった場合に、通信相手端末を発見できなかったことを示す情報を送信する。また、ＵＥ１００−２は、Ｄｉｓｃｏｖｅｒｙ信号を所定時間受信しなかった場合に、通信相手端末を発見できなかったことを示す情報を送信する。
【００９３】
また、ＵＥ１００−１及びＵＥ１００−２のそれぞれは、端末測定情報の送信と共に、Ｄ２Ｄ通信を行うことに同意するか否かを示す同意情報をｅＮＢ２００に送信する。ＵＥ１００−１及びＵＥ１００−２のそれぞれは、ｅＮＢ２００から確認情報を受信していた場合にのみ、同意情報をｅＮＢ２００に送信してもよい。
【００９４】
ステップ１０７において、ｅＮＢ２００は、ＵＥ１００−１及びＵＥ１００−２にＤ２Ｄ通信を行わせるかを判断する。本実施形態において、ｅＮＢ２００は、（１）端末測定情報に基づく判断、（２）Ｄ２Ｄ端末発見情報に基づく判断、（３）同意情報に基づく判断、（４）最終判断、を行う。
【００９５】
（１）端末測定情報に基づく判断
ｅＮＢ２００は、端末測定情報に基づいて、ＵＥ１００−１及びＵＥ１００−２のそれぞれがＤ２Ｄ通信を行った場合に、ｅＮＢ２００に与える干渉が許容量を超えないか否かを判断する。具体的な判断方法を、図９（ａ）及び図９（ｂ）を用いて説明する。
【００９６】
図９（ａ）は、ｅＮＢ２００、ＵＥ１００−１及びＵＥ１００−２間の距離を説明するための図である。図９（ｂ）は、ｅＮＢ２００、ＵＥ１００−１及びＵＥ１００−２のそれぞれが受信する信号の受信電力強度及び受信品質を説明するための図である。
【００９７】
ｅＮＢ２００は、ＵＥ１００−１及びＵＥ１００−２のそれぞれから受信した端末測定情報の内容に従って、以下の判断方法により判断することが可能である。
【００９８】
（Ａ）位置情報による判断方法
（Ａ１）判断方法Ａ１
ｅＮＢ２００は、ＵＥ１００−１の位置情報を受信した場合、ｅＮＢ２００の位置情報及びＵＥ１００−１の位置情報に基づいてｅＮＢ２００からＵＥ１００−１までの距離Ｘ１を求める。
【００９９】
ｅＮＢ２００は、距離Ｘ１に基づいて、ＵＥ１００−１がｅＮＢ２００に与える干渉が許容量を超えないか否かを判断する。具体的には、ｅＮＢ２００は、距離Ｘ１が所定値以上であれば、ＵＥ１００−１がｅＮＢ２００に与える干渉が許容量を超えないと判断し、距離Ｘ１が所定値未満であれば、ＵＥ１００−１がｅＮＢ２００に与える干渉が許容量を超えると判断する。
【０１００】
また、ｅＮＢ２００は、ＵＥ１００−２の位置情報を受信した場合、ｅＮＢ２００からＵＥ１００−２までの距離Ｘ２を求める。ｅＮＢ２００は、上述と同様に、ＵＥ１００−２がｅＮＢ２００に与える干渉が許容量を超えない否かを判断する。
【０１０１】
（Ａ２）判断方法Ａ２
ｅＮＢ２００は、ＵＥ１００−１及びＵＥ１００−２のそれぞれの位置情報を受信した場合、距離Ｘ１及び距離Ｘ２に加えて、ＵＥ１００−１からＵＥ１００−２までの距離Ｘ３を求める。
【０１０２】
ｅＮＢ２００は、距離Ｘ１及び距離Ｘ３に基づいて、ＵＥ１００−１がｅＮＢ２００に与える干渉が許容量を超えないか否かを判断する。具体的には、ｅＮＢ２００は、距離Ｘ１が距離Ｘ３にオフセット値を加えた値以上であれば（すなわち、Ｘ１≧Ｘ３＋ｏｆｆｓｅｔ値を満たす場合）、ＵＥ１００−１がｅＮＢ２００に与える干渉が許容量を超えないと判断し、距離Ｘ１が距離Ｘ３にオフセット値を加えた値未満であれば（すなわち、Ｘ１＜Ｘ３＋ｏｆｆｓｅｔ値を満たす場合）、ＵＥ１００−１がｅＮＢ２００に与える干渉が許容量を超えると判断する。
【０１０３】
また、ｅＮＢ２００は、上述と同様に、距離Ｘ２が距離Ｘ３にオフセット値を加えた値以上であれば（すなわち、Ｘ２≧Ｘ３＋ｏｆｆｓｅｔ値を満たす場合）、ＵＥ１００−２がｅＮＢ２００に与える干渉が許容量を超えないと判断し、距離Ｘ２が距離Ｘ３にオフセット値を加えた値未満であれば（すなわち、Ｘ２＜Ｘ３＋ｏｆｆｓｅｔ値を満たす場合）、ＵＥ１００−２がｅＮＢ２００に与える干渉が許容量を超えると判断する。
【０１０４】
（Ｂ）受信電力強度による判断方法
（Ｂ１）判断方法Ｂ１
ｅＮＢ２００は、ｅＮＢ２００からＵＥ１００−１が受信した信号の受信電力強度Ｐｅ１を示す情報を受信した場合、受信電力強度Ｐｅ１に基づいて、ＵＥ１００−１がｅＮＢ２００に与える干渉が許容量を超えないか否かを判断する。
【０１０５】
具体的には、ｅＮＢ２００は、受信電力強度Ｐｅ１が所定値より小さければ、ＵＥ１００−１がｅＮＢ２００に与える干渉が許容量を超えないと判断し、受信電力強度Ｐｅ１が所定値以上であれば、ＵＥ１００−１がｅＮＢ２００に与える干渉が許容量を超えると判断する。
【０１０６】
また、ｅＮＢ２００は、ｅＮＢ２００からＵＥ１００−２が受信した信号の受信電力強度Ｐｅ２を示す情報を受信した場合、上述と同様に、ＵＥ１００−２がｅＮＢ２００に与える干渉が許容量を超えないか否かを判断する。
【０１０７】
（Ｂ２）判断方法Ｂ２
ｅＮＢ２００は、ＵＥ１００−２がＵＥ１００−１から受信した信号の受信電力強度Ｐｕ１を示す情報を受信した場合、受信電力強度Ｐｕ１及びｅＮＢ２００がＵＥ１００−１から受信した信号の受信電力強度Ｐａに基づいて、ＵＥ１００−１がｅＮＢ２００に与える干渉が許容量を超えないか否かを判断する。
【０１０８】
具体的には、ｅＮＢ２００は、受信電力強度Ｐａが受信電力強度Ｐｕ１にオフセット値を加えた値以上であれば（すなわち、Ｐａ≧Ｐｕ１＋ｏｆｆｓｅｔ値を満たす場合）、ＵＥ１００−１がｅＮＢ２００に与える干渉が許容量を超えないと判断し、受信電力強度Ｐａが受信電力強度Ｐｕ１にオフセット値を加えた値未満であれば（すなわち、Ｐａ＜Ｐｕ１＋ｏｆｆｓｅｔ値を満たす場合）、ＵＥ１００−１がｅＮＢ２００に与える干渉が許容量を超えると判断する。
【０１０９】
また、ｅＮＢ２００は、ＵＥ１００−１がＵＥ１００−２から受信した信号の受信電力強度Ｐｕ２を受信した場合、上述と同様に、受信電力強度Ｐｕ２及びｅＮＢ２００がＵＥ１００−１から受信した信号の受信電力強度Ｐｂに基づいて、ＵＥ１００−２がｅＮＢ２００に与える干渉が許容量を超えないか否かを判断する。
【０１１０】
（Ｃ）受信品質による判断方法
（Ｃ１）判断方法Ｃ１
ｅＮＢ２００は、ｅＮＢ２００からＵＥ１００−１が受信した信号の受信品質Ｑｅ１を示す情報を受信した場合、受信品質Ｑｅ１に基づいて、ＵＥ１００−１がｅＮＢ２００に与える干渉が許容量を超えないか否かを判断する。
【０１１１】
具体的には、ｅＮＢ２００は、受信品質Ｑｅ１が所定値より小さければ、ＵＥ１００−１がｅＮＢ２００に与える干渉が許容量を超えないと判断し、受信品質Ｑｅ１が所定値以上であれば、ＵＥ１００−１がｅＮＢ２００に与える干渉が許容量を超えると判断する。
【０１１２】
また、ｅＮＢ２００は、ｅＮＢ２００からＵＥ１００−２が受信した信号の受信品質Ｑｅ２を示す情報を受信した場合、上述と同様に、ＵＥ１００−２がｅＮＢ２００に与える干渉が許容量を超えないか否かを判断する。
【０１１３】
（Ｃ２）判断方法Ｃ２
ｅＮＢ２００は、ＵＥ１００−２がＵＥ１００−１から受信した信号の受信品質Ｑｕ１を示す情報を受信した場合、受信品質Ｑｕ１及びｅＮＢ２００がＵＥ１００−１から受信した信号の受信品質Ｑａに基づいて、ＵＥ１００−１がｅＮＢ２００に与える干渉が許容量を超えないか否かを判断する。
【０１１４】
具体的には、ｅＮＢ２００は、受信品質Ｑａが受信品質Ｑｕ１にオフセット値を加えた値以上であれば（すなわち、Ｑａ≧Ｑｕ１＋ｏｆｆｓｅｔ値を満たす場合）、ＵＥ１００−１がｅＮＢ２００に与える干渉が許容量を超えないと判断し、受信品質Ｑａが受信品質Ｑｕ１にオフセット値を加えた値未満であれば（すなわち、Ｑａ＜Ｑｕ１＋ｏｆｆｓｅｔ値を満たす場合）、ＵＥ１００−１がｅＮＢ２００に与える干渉が許容量を超えると判断する。
【０１１５】
また、ｅＮＢ２００は、ＵＥ１００−１がＵＥ１００−２から受信した信号の受信品質Ｑｕ２を受信した場合、上述と同様に、受信品質Ｑｕ２及びｅＮＢ２００がＵＥ１００−１から受信した信号の受信品質Ｑｂに基づいて、ＵＥ１００−２がｅＮＢ２００に与える干渉が許容量を超えないか否かを判断する。
【０１１６】
（Ｄ）パスロスによる判断方法
（Ｄ１）判断方法Ｄ１
ｅＮＢ２００は、ｅＮＢ２００とＵＥ１００−１との間のパスロス情報を受信した場合、当該パスロス情報に基づいて、ＵＥ１００−１がｅＮＢ２００に与える干渉が許容量を超えないか否かを判断する。
【０１１７】
なお、ｅＮＢ２００は、ｅＮＢ２００からＵＥ１００−１が受信した信号の受信電力強度Ｐｅ１を示す情報を受信した場合、ｅＮＢ２００が送信した信号の送信電力強度から受信電力強度Ｐｅ１の差分により算出したパスロスを用いてもよい。
【０１１８】
具体的には、ｅＮＢ２００は、ｅＮＢ２００とＵＥ１００−１との間のパスロスが所定値より大きければ、ＵＥ１００−１がｅＮＢ２００に与える干渉が許容量を超えないと判断し、受信電力強度Ｐｅ１が所定値以上であれば、ＵＥ１００−１がｅＮＢ２００に与える干渉が許容量を超えると判断する。
【０１１９】
また、ｅＮＢ２００は、ｅＮＢ２００とＵＥ１００−２との間のパスロス情報を受信した場合、上述と同様に、当該パスロス情報に基づいて、ＵＥ１００−２がｅＮＢ２００に与える干渉が許容量を超えないか否かを判断する。
【０１２０】
なお、ｅＮＢ２００は、ｅＮＢ２００からＵＥ１００−２が受信した信号の受信電力強度Ｐｅ２を示す情報を受信した場合、上述と同様に、算出したパスロスを用いてもよい。
【０１２１】
（Ｄ２）判断方法Ｄ２
ｅＮＢ２００は、ＵＥ１００−１とＵＥ１００−２との間のパスロス情報を受信した場合、ＵＥ１００−１とＵＥ１００−２との間のパスロスＰＬｕ及びｅＮＢ２００とＵＥ１００−１との間のパスロスＰＬｅ１に基づいて、ＵＥ１００−１がｅＮＢ２００に与える干渉が許容量を超えないか否かを判断する。
【０１２２】
具体的には、ｅＮＢ２００は、パスロスＰＬｅ１がパスロスＰＬｕにオフセット値を加えた値以上であれば（すなわち、ＰＬｅ１≧ＰＬｕ＋ｏｆｆｓｅｔ値を満たす場合）、ＵＥ１００−１がｅＮＢ２００に与える干渉が許容量を超えないと判断し、パスロスＰＬｅ１がパスロスＰＬｕにオフセット値を加えた値未満であれば（すなわち、ＰＬｅ１＜ＰＬｕ＋ｏｆｆｓｅｔ値を満たす場合）、ＵＥ１００−１がｅＮＢ２００に与える干渉が許容量を超えると判断する。
【０１２３】
また、ｅＮＢ２００は、上述と同様に、ＵＥ１００−１とＵＥ１００−２との間のパスロスＰＬｕ及びｅＮＢ２００とＵＥ１００−２との間のパスロスＰＬｅ２に基づいて、ＵＥ１００−１がｅＮＢ２００に与える干渉が許容量を超えないか否かを判断する。
【０１２４】
なお、ＵＥ１００−１がｅＮＢ２００に与える干渉が許容量を超えないか否かを判断する場合、ＵＥ１００−１とＵＥ１００−２との間のパスロスＰＬｕとして、ＵＥ１００−１からＵＥ１００−２へ送信された信号のパスロスを用いることが好ましい。また、ＵＥ１００−２がｅＮＢ２００に与える干渉が許容量を超えないか否かを判断する場合、ＵＥ１００−１とＵＥ１００−２との間のパスロスＰＬｕとして、ＵＥ１００−２からＵＥ１００−１へ送信された信号のパスロスを用いることが好ましい。
【０１２５】
上述した判断方法の少なくとも１つを用いて、ｅＮＢ２００は、ＵＥ１００−１及びＵＥ１００−２のそれぞれがＤ２Ｄ通信を行った場合に、ｅＮＢ２００に与える干渉が許容量を超えないか否かを判断する。
【０１２６】
ｅＮＢ２００は、ＵＥ１００−１及びＵＥ１００−２がＤ２Ｄ通信を行った場合にｅＮＢ２００に与える干渉が許容量を超えないと判断した場合には、ＵＥ１００−１及びＵＥ１００−２にＤ２Ｄ通信を行わせると判断する。一方、ｅＮＢ２００は、ＵＥ１００−１及びＵＥ１００−２がＤ２Ｄ通信を行った場合にｅＮＢ２００に与える干渉が許容量を超えると判断した場合には、ＵＥ１００−１及びＵＥ１００−２にＤ２Ｄ通信を行わせないと判断する。
【０１２７】
（２）Ｄ２Ｄ端末発見情報に基づく判断
また、本実施形態において、ｅＮＢ２００は、Ｄ２Ｄ端末発見情報に基づいて、ＵＥ１００−１及びＵＥ１００−２にＤ２Ｄ通信を行わせるかを判断する。
【０１２８】
ｅＮＢ２００は、ＵＥ１００−１及びＵＥ１００−２の少なくとも一方が通信相手端末を発見していた場合には、ＵＥ１００−１及びＵＥ１００−２にＤ２Ｄ通信を行わせると判断する。一方、ｅＮＢ２００は、ＵＥ１００−１及びＵＥ１００−２が通信相手端末を発見していなかった場合には、ＵＥ１００−１及びＵＥ１００−２にＤ２Ｄ通信を行わせないと判断する。
【０１２９】
なお、本実施形態において、ｅＮＢ２００は、Ｄ２Ｄ通信における通信相手端末を発見したことを示す情報を受信しているため、ＵＥ１００−１及びＵＥ１００−２にＤ２Ｄ通信を行わせると判断する。
【０１３０】
（３）同意情報に基づく判断
また、本実施形態において、ｅＮＢ２００は、同意情報に基づいて、ＵＥ１００−１及びＵＥ１００−２にＤ２Ｄ通信を行わせるかを判断する。
【０１３１】
ｅＮＢ２００は、ＵＥ１００−１及びＵＥ１００−２のそれぞれがＤ２Ｄ通信を同意することを示す情報を送信していた場合には、ＵＥ１００−１及びＵＥ１００−２にＤ２Ｄ通信を行わせると判断する。一方、ｅＮＢ２００は、ＵＥ１００−１及びＵＥ１００−２の少なくとも一方がＤ２Ｄ通信を同意しないことを示す情報を送信していた場合には、ＵＥ１００−１及びＵＥ１００−２にＤ２Ｄ通信を行わせないと判断する。
【０１３２】
（４）最終判断
ｅＮＢ２００は、最終的に、ＵＥ１００−１及びＵＥ１００−２にＤ２Ｄ通信を行わせると判断した場合に、ステップ１０８の処理を実行する。具体的には、上述の（１）〜（３）の全ての判断において、ｅＮＢ２００は、ＵＥ１００−１及びＵＥ１００−２にＤ２Ｄ通信を行わせると判断した場合に、ステップ１０８の処理を実行する。
【０１３３】
ステップ１０８において、ｅＮＢ２００は、ＵＥ１００−１及びＵＥ１００−２のそれぞれにＤ２Ｄ通信を開始するように指示する。ＵＥ１００−１及びＵＥ１００−２のそれぞれは、Ｄ２Ｄ通信の開始の指示を受信する。
【０１３４】
本実施形態において、ｅＮＢ２００は、ＵＥ１００−１及びＵＥ１００−２のそれぞれからＤ２Ｄ通信の要求を受信していないが、Ｄ２Ｄ通信を開始するように指示する。すなわち、ｅＮＢ２００は、ＵＥ１００−１及びＵＥ１００−２のそれぞれがｅＮＢ２００に与える干渉が許容量より少ないと判断した場合で、かつ、ＵＥ１００−１及びＵＥ１００−２がネットワークを経由して通信を行っている場合に、ＵＥ１００−１及びＵＥ１００−２のそれぞれからＤ２Ｄ通信の要求がなくても、Ｄ２Ｄ通信を開始するように指示する。ｅＮＢ２００は、ＵＥ１００−１及びＵＥ１００−２のそれぞれからＤ２Ｄ通信を行うことに同意が得られていた場合に、Ｄ２Ｄ通信を開始するように指示してもよい。
【０１３５】
なお、ｅＮＢ２００は、Ｄ２Ｄ通信の開始の指示と共に、Ｄ２Ｄ通信を行うために必要な情報（例えば、ＵＥ１００−１とＵＥ１００−２との間のＤ２Ｄ通信に割り当てた無線リソースを示すスケジューリング情報）を送信してもよい。
【０１３６】
ステップ１０９において、ＵＥ１００−１及びＵＥ１００−２は、Ｄ２Ｄ通信を行う。
【０１３７】
なお、Ｄ２Ｄ通信の開始の指示を受信したＵＥ１００−１とＵＥ１００−２とは、Ｄ２Ｄリンクを確立するために用いられる情報の交換（ｎｅｇｏｔｉａｔｉｏｎ）を行う。Ｄ２Ｄリンクを確立するために用いられる情報とは、例えば、スケジューリング情報である。
【０１３８】
ＵＥ１００−１とＵＥ１００−２との間に、Ｄ２Ｄリンクが確立された場合、ＵＥ１００−１は、Ｄ２Ｄリンクが確立されたことをｅＮＢ２００−２へ報告する。報告を受けたｅＮＢ２００−２は、ＵＥ１００−１及びＵＥ１００−２が行っているセルラ通信を終了させる。
【０１３９】
（第１実施形態の変形例に係る移動通信システムの動作）
次に、第１実施形態の変形例に係る移動通信システムの動作について、図１０を用いて説明する。なお、上述した実施形態と異なる部分を中心に説明し、同様の部分は、説明を適宜省略する。
【０１４０】
上述した第１実施形態では、ＵＥ１００−１及びＵＥ１００−２がＤ２Ｄ通信を開始するケースを説明した。本変形例では、ＵＥ１００−１及びＵＥ１００−２がＤ２Ｄ通信を終了するケースを説明する。
【０１４１】
図１０は、第１実施形態の変形例に係る移動通信システムの動作例を示すシーケンス図である。
【０１４２】
図１０に示すように、ＵＥ１００−１及びＵＥ１００−２のそれぞれは、ｅＮＢ２００との接続を確立しており、ＵＥ１００−１及びＵＥ１００−２は、Ｄ２Ｄ通信を行っている。
【０１４３】
図１０に示すように、ステップ２０１において、ｅＮＢ２００は、ＵＥ１００−１及びＵＥ１００−２のそれぞれに、端末測定情報を要求する。ＵＥ１００−１及びＵＥ１００−２のそれぞれは、端末測定情報の要求を受信する。
【０１４４】
ステップ２０２において、ＵＥ１００−１及びＵＥ１００−２のそれぞれは、ｅＮＢ２００からの端末測定情報の要求に基づいて、測定を実施する。
【０１４５】
ステップ２０３において、ＵＥ１００−１及びＵＥ１００−２のそれぞれは、端末測定情報を送信する。ｅＮＢ２００は、端末測定情報を受信する。
【０１４６】
ステップ２０４において、ｅＮＢ２００は、ＵＥ１００−１及びＵＥ１００−２にＤ２Ｄ通信を終了させるか否かを判断する。すなわち、ｅＮＢ２００は、ＵＥ１００−１及びＵＥ１００−２にＤ２Ｄ通信を継続させるか否かを判断する。
【０１４７】
ｅＮＢ２００は、端末測定情報に基づいて、ＵＥ１００−１及びＵＥ１００−２のそれぞれがＤ２Ｄ通信を行っている場合に、ｅＮＢ２００に与える干渉が許容量を超えないか否かを判断する。
【０１４８】
ｅＮＢ２００は、第１実施形態におけるステップ１０７と同様の判断方法により、ｅＮＢ２００に与える干渉が許容量を超えないか否かを判断する。
【０１４９】
ｅＮＢ２００は、ＵＥ１００−１及びＵＥ１００−２の少なくともいずれか一方がＤ２Ｄ通信を行っている場合に、ｅＮＢ２００に与える干渉が許容量を超えると判断した場合に、ステップ２０５の処理を実行する。
【０１５０】
ｅＮＢ２００は、ＵＥ１００−１及びＵＥ１００−２がＤ２Ｄ通信を行っている場合にｅＮＢ２００に与える干渉が許容量を超えないと判断した場合には、ステップ２０１の処理を再び実行してもよい。
【０１５１】
ステップ２０５において、ｅＮＢ２００は、ＵＥ１００−１及びＵＥ１００−２のそれぞれにＤ２Ｄ通信を終了するように指示する。ＵＥ１００−１及びＵＥ１００−２のそれぞれは、Ｄ２Ｄ通信の終了の指示を受信する。
【０１５２】
ｅＮＢ２００は、Ｄ２Ｄ通信の終了の指示と共に、ＵＥ１００−１がｅＮＢ２００を経由してＵＥ１００−２と通信を行うようにＵＥ１００−１に指示する。また、ｅＮＢ２００は、同様に、Ｄ２Ｄ通信の終了の指示と共に、ＵＥ１００−２がｅＮＢ２００を経由してＵＥ１００−１と通信を行うようにＵＥ１００−２に指示する。
【０１５３】
ｅＮＢ２００は、ＵＥ１００−１及びＵＥ１００−２のＤ２Ｄ通信に割り当てている周波数帯域を開放し、強制的にＤ２Ｄ通信を停止させる。
【０１５４】
ステップ２０６において、ＵＥ１００−１及びＵＥ１００−２は、セルラ通信を行う。
【０１５５】
（第１実施形態のまとめ）
本実施形態では、ＵＥ１００−１及びＵＥ１００−２のそれぞれは、端末測定情報をｅＮＢ２００に送信し、ｅＮＢ２００は、端末測定情報に基づいて、ＵＥ１００−１及びＵＥ１００−２のそれぞれがＤ２Ｄ通信を行った場合にｅＮＢ２００に与える干渉が許容量を超えないと判断した場合に、ＵＥ１００−１及びＵＥ１００−２のそれぞれにＤ２Ｄ通信を開始するように指示する。これにより、ｅＮＢ２００が、ＵＥ１００−１及びＵＥ１００−２がＤ２Ｄ通信を行った場合にｅＮＢ２００に与える干渉が許容量を超えると判断した場合には、ＵＥ１００−１及びＵＥ１００−２は、Ｄ２Ｄ通信を開始しないため、ｅＮＢ２００がＵＥ１００−１及びＵＥ１００−２からＤ２Ｄ通信による干渉を受けることを抑制することができる。
【０１５６】
本実施形態では、端末測定情報は、位置情報であり、ｅＮＢ２００は、位置情報から求められたｅＮＢ２００とＵＥ１００との距離に基づいて、ｅＮＢ２００に与える干渉が許容量を超えないか否かを判断する。これにより、ｅＮＢ２００は、ｅＮＢ２００又はＵＥ１００における偶発的な無線環境の変化に左右されずに判断することができるため、判断の安定化を図ることができる。
【０１５７】
本実施形態では、端末測定情報は、無線環境情報であり、ｅＮＢ２００は、無線環境情報から求められたＵＥ１００が受信した受信電力強度及びｅＮＢ２００とＵＥ１００との間のパスロスの少なくともいずれかに基づいて、ｅＮＢ２００に与える干渉が許容量を超えないか否かを判断する。これにより、ｅＮＢ２００は、ＵＥ１００の実際の無線環境に基づいて判断するため、判断の精度を高くすることができる。
【０１５８】
本実施形態では、ＵＥ１００は、Ｄ２Ｄサポート情報を送信し、ｅＮＢ２００は、Ｄ２Ｄサポート情報に基づいてＵＥ１００がＤ２Ｄ通信をサポートしているか否かを判断する。これにより、ｅＮＢ２００は、Ｄ２Ｄ通信をサポートしていないＵＥ１００に対して、Ｄ２Ｄ通信を行わせるかを判断するための無駄な端末測定情報の要求をせずにすむ。
【０１５９】
本実施形態では、ｅＮＢ２００は、ＵＥ１００−１及びＵＥ１００−２のそれぞれがｅＮＢ２００に与える干渉が許容量より少ないと判断した場合で、かつ、ＵＥ１００−１及びＵＥ１００−２がネットワークを経由して通信を行っている場合に、ＵＥ１００−１及びＵＥ１００−２のそれぞれからＤ２Ｄ通信の要求がなくても、Ｄ２Ｄ通信を開始するように指示する。これにより、ＵＥ１００−１及びＵＥ１００−２がＤ２Ｄ通信を行うため、ｅＮＢ２００のトラフィックの負荷を低減することができる。
【０１６０】
本実施形態では、ｅＮＢ２００は、ＵＥ１００−１及びＵＥ１００−２のそれぞれに、Ｄ２Ｄ通信を行うことに同意するか否かを確認するための確認情報を送信し、ｅＮＢ２００は、ＵＥ１００−１及びＵＥ１００−２のそれぞれからＤ２Ｄ通信を行うことに同意が得られた場合に、ＵＥ１００−１とＵＥ１００−２とがＤ２Ｄ通信を開始するように指示する。これにより、ＵＥ１００−１及びＵＥ１００−２のそれぞれを使用する各ユーザの意図に反して、ｅＮＢ２００がＵＥ１００−１及びＵＥ１００−２に強制的にＤ２Ｄ通信を行わせることを抑制できる。
【０１６１】
本実施形態では、ｅＮＢ２００は、ＵＥ１００−１及びＵＥ１００−２のそれぞれがｅＮＢ２００との無線接続を確立した状態でのみＤ２Ｄ通信を行う場合に、ＵＥ１００−１及びＵＥ１００−２のそれぞれに、Ｄ２Ｄ通信を開始するように指示してもよい。これにより、ｅＮＢ２００は、ＵＥ１００−１及びＵＥ１００−２がＤ２Ｄ通信を行っていても、ＵＥ１００−１及びＵＥ１００−２を制御することが可能である。
【０１６２】
本実施形態では、ＵＥ１００−１及びＵＥ１００−２のそれぞれは、ｅＮＢ２００との無線接続を確立した状態でＤ２Ｄ通信を行っている場合に、端末測定情報をｅＮＢ２００に送信し、ｅＮＢ２００は、端末測定情報に基づいて、ＵＥ１００−１及びＵＥ１００−２がＤ２Ｄ通信を行っている場合にｅＮＢ２００に与える干渉が許容量を超えると判断した場合に、ＵＥ１００−１及びＵＥ１００−２のそれぞれにＤ２Ｄ通信を終了するように指示する。これにより、ｅＮＢ２００は、Ｄ２Ｄ通信の開始の制御だけでなく、Ｄ２Ｄ通信の終了の制御も行うため、ｅＮＢ２００がＵＥ１００−１及びＵＥ１００−２からＤ２Ｄ通信による干渉を受けることをより抑制することができる。
【０１６３】
本実施形態では、ｅＮＢ２００は、ＵＥ１００−１及びＵＥ１００−２にＤ２Ｄ通信を終了するように指示すると共に、ＵＥ１００−１及びＵＥ１００−２がｅＮＢ２００を経由して通信を行うように指示する。これにより、ｅＮＢ２００は、ＵＥ１００−１及びＵＥ１００−２の通信を終了させずに、ＵＥ１００−１及びＵＥ１００−２から干渉を受けることを抑制することができる。
【０１６４】
［第２実施形態］
（第２実施形態に係る移動通信システムの動作）
次に、第２実施形態に係る移動通信システムの動作について、図１１を用いて説明する。なお、上述した実施形態及び変形例と異なる部分を中心に説明し、同様の部分は、説明を適宜省略する。
【０１６５】
上述した第１実施形態では、ＵＥ１００−１及びＵＥ１００−２のそれぞれが、ｅＮＢ２００にＤ２Ｄ通信の要求を行わないケースを説明した。本実施形態では、ＵＥ１００−１及びＵＥ１００−２のそれぞれが、ｅＮＢ２００にＤ２Ｄ通信の要求を行うケースを説明する。
【０１６６】
図１１は、第２実施形態に係る移動通信システムの動作例を示すシーケンス図である。
【０１６７】
図１１に示すように、ＵＥ１００−１及びＵＥ１００−２のそれぞれは、ｅＮＢ２００との接続を確立している。
【０１６８】
図１１に示すように、ステップ３０１において、ｅＮＢ２００は、Ｄｉｓｃｏｖｅｒｙ信号を送信する際に用いられる無線リソースの情報及び／又は送信電力の情報を含むＤｉｓｃｏｖｅｒｙ関連情報をＵＥ１００−１及びＵＥ１００−２に送信する。ＵＥ１００−１及びＵＥ１００−２のそれぞれは、Ｄｉｓｃｏｖｅｒｙ関連情報を受信する。
【０１６９】
Ｄｉｓｃｏｖｅｒｙ関連情報は、Ｄｉｓｃｏｖｅｒｙ信号を送信する際に用いられる無線リソースの情報及び／又は送信電力の情報を含む情報である。Ｄｉｓｃｏｖｅｒｙ信号を送信する際に用いられる無線リソースの情報は、時間リソースの情報及び周波数リソースの情報の少なくとも一方を含む。なお、ｅＮＢ２００−１は、Ｄｉｓｃｏｖｅｒｙ信号がセル２５０又は／及び隣接基地局が管理するセルに接続されたＵＥ１００への干渉信号とならないような無線リソース及び送信電力を選択して、Ｄｉｓｃｏｖｅｒｙ関連情報に含める。
【０１７０】
本実施形態において、ｅＮＢ２００は、Ｄｉｓｃｏｖｅｒｙ関連情報をブロードキャストで送信する。例えば、ｅＮＢ２００は、システム情報ブロック（ＳＩＢ）にＤｉｓｃｏｖｅｒｙ関連情報を含めて送信する。システム情報ブロック（ＳＩＢ）にＤｉｓｃｏｖｅｒｙ関連情報を含めることにより、ＵＥ１００−１及びＵＥ１００−２のそれぞれは、アイドル状態においてもＤｉｓｃｏｖｅｒｙ関連情報を受信できる。なお、ｅＮＢ２００は、Ｄｉｓｃｏｖｅｒｙ関連情報をユニキャストで送信してもよい。
【０１７１】
ステップ３０２において、ＵＥ１００−１及びＵＥ１００−２は、Ｄｉｓｃｏｖｅｒｙを実施する。
【０１７２】
本実施形態において、ＵＥ１００−１及びＵＥ１００−２のそれぞれは、Ｄｉｓｃｏｖｅｒｙ関連情報に対応したＤｉｓｃｏｖｅｒｙ信号を送信する。具体的には、ＵＥ１００−１（又はＵＥ１００−２）は、Ｄｉｓｃｏｖｅｒｙ関連情報に含まれる無線リソースの情報及び／又は送信電力の情報に基づいてＤｉｓｃｏｖｅｒｙ信号を送信する際に用いる無線リソース及び送信電力を決定する。ＵＥ１００−１及びＵＥ１００−２のそれぞれは、決定した無線リソース及び送信電力に基づいて、Ｄｉｓｃｏｖｅｒｙ信号の送信を開始する。
【０１７３】
ステップ３０３において、ＵＥ１００−１及びＵＥ１００−２のそれぞれは、Ｄ２Ｄ通信の要求及びＤ２Ｄ端末発見情報を送信する。ｅＮＢ２００は、Ｄ２Ｄ通信の要求及びＤ２Ｄ端末発見情報を受信する。
【０１７４】
ステップ３０４において、ＵＥ１００−１及びＵＥ１００−２のそれぞれは、測定を実施する。
【０１７５】
ステップ３０５において、ＵＥ１００−１及びＵＥ１００−２のそれぞれは、端末測定情報を送信する。ｅＮＢ２００は、端末測定情報を受信する。
【０１７６】
ステップ３０６において、ｅＮＢ２００は、端末測定情報に基づいて、ＵＥ１００−１及びＵＥ１００−２にＤ２Ｄ通信を行わせるかを判断する。
【０１７７】
本実施形態において、ｅＮＢ２００が、ＵＥ１００−１及びＵＥ１００−２がＤ２Ｄ通信を行った場合にｅＮＢ２００に与える干渉が許容量を超えないと判断できなかったケースを仮定して説明する。このようなケースとして、例えば、ｅＮＢ２００が複数の判断方法により判断した場合に、判断方法によって、判断結果が一致しなかったケースが挙げられる。また、他のケースとしては、一方のＵＥ１００（例えば、ＵＥ１００−１）がＤ２Ｄ通信を行った場合にｅＮＢ２００に与える干渉が許容量を超えないと判断されたが、他方のＵＥ１００（例えば、ＵＥ１００−２）がＤ２Ｄ通信を行った場合にｅＮＢ２００に与える干渉が許容量を超えると判断されたケースが挙げられる。
【０１７８】
ステップ３０７において、ｅＮＢ２００は、端末測定情報を送信したＵＥ１００−１及びＵＥ１００−２のそれぞれに対して、端末測定情報を送信するように要求する。ＵＥ１００−１及びＵＥ１００−２のそれぞれは、端末測定情報の要求を受信する。
【０１７９】
ｅＮＢ２００は、ＵＥ１００が既に送信した端末測定情報（以下、旧端末測定情報と称する）と異なる端末測定情報（以下、新端末測定情報と称する）を送信するように明示的に要求してもよい。
【０１８０】
新端末測定情報は、旧端末測定情報と種類が異なる情報であってもよいし、旧端末測定情報よりも測定した時間が新しい情報であってもよい。
【０１８１】
ステップ３０８において、ＵＥ１００−１及びＵＥ１００−２のそれぞれは、測定を実施する。
【０１８２】
ＵＥ１００−１及びＵＥ１００−２のそれぞれは、端末測定情報の要求をトリガとして、測定を実施する。
【０１８３】
なお、ＵＥ１００−１及びＵＥ１００−２のそれぞれは、旧端末測定情報をｅＮＢ２００に送信した後で、端末測定情報の要求を受信する前に、測定をしていた場合、ＵＥ１００−１及びＵＥ１００−２のそれぞれは、当該測定により取得した情報を新端末測定情報としてｅＮＢ２００に送信できるため、ステップ３０８の処理を省略することもできる。
【０１８４】
ステップ３０９において、ＵＥ１００−１及びＵＥ１００−２のそれぞれは、端末測定情報（新端末測定情報）を送信する。ｅＮＢ２００は、端末測定情報を受信する。
【０１８５】
ステップ３１０において、ｅＮＢ２００は、端末測定情報（新端末測定情報）に基づいて、ＵＥ１００−１及びＵＥ１００−２にＤ２Ｄ通信を行わせるかを判断する。
【０１８６】
ｅＮＢ２００は、新端末測定情報に基づいて、ＵＥ１００−１及びＵＥ１００−２がＤ２Ｄ通信を行った場合にｅＮＢ２００に与える干渉が許容量を超えないと判断した場合に、ステップ３１１の処理を実行する。
【０１８７】
ステップ３１１及び３１２は、それぞれ第１実施形態のステップ１０８及び１０９に対応する。
【０１８８】
（第２実施形態のまとめ）
本実施形態では、ｅＮＢ２００は、Ｄｉｓｃｏｖｅｒｙ信号を送信する際に用いられる無線リソースの情報及び／又は送信電力の情報を含むＤｉｓｃｏｖｅｒｙ関連情報をＵＥ１００−１及びＵＥ１００−２に送信し、ＵＥ１００−１は、Ｄｉｓｃｏｖｅｒｙ関連情報に対応したＤｉｓｃｏｖｅｒｙ信号を送信する。これにより、ＵＥ１００−１が送信するＤｉｓｃｏｖｅｒｙ信号がＵＥ１００−１の近傍に存在する別のＵＥ１００への干渉信号となることを抑制できる。
【０１８９】
［第３実施形態］
（第３実施形態に係る移動通信システムの動作）
次に、第３実施形態に係る移動通信システムの動作について、図１２を用いて説明する。なお、上述した実施形態及び変形例と異なる部分を中心に説明し、同様の部分は、説明を適宜省略する。
【０１９０】
上述した第２実施形態では、ＵＥ１００−１及びＵＥ１００−２のそれぞれが、ｅＮＢ２００との接続を確立しているケースを説明した。本実施形態では、ＵＥ１００−１及びＵＥ１００−２のそれぞれが、ｅＮＢ２００との接続を最初は確立していないケースを説明する。
【０１９１】
図１２は、第３実施形態に係る移動通信システムの動作例を示すシーケンス図である。
【０１９２】
図１２に示すように、ＵＥ１００−１及びＵＥ１００−２のそれぞれは、ｅＮＢ２００との接続を確立していない。すなわち、ＵＥ１００−１及びＵＥ１００−２は、アイドル状態である。
【０１９３】
図１２に示すように、ステップ４０１において、ｅＮＢ２００は、Ｄｉｓｃｏｖｅｒｙ関連情報をシステム情報ブロックに含めて送信する。ＵＥ１００−１及びＵＥ１００−２のそれぞれは、Ｄｉｓｃｏｖｅｒｙ関連情報を受信する。
【０１９４】
ステップ４０２において、ＵＥ１００−１及びＵＥ１００−２は、Ｄｉｓｃｏｖｅｒｙを実施する。本実施形態において、ＵＥ１００−１（又はＵＥ１００−２）は、Ｄｉｓｃｏｖｅｒｙ関連情報に対応したＤｉｓｃｏｖｅｒｙ信号を送信する。
【０１９５】
ステップ４０３において、ＵＥ１００−１及びＵＥ１００−２のそれぞれは、ｅＮＢ２００に接続セットアップを要求する。また、ＵＥ１００−１及びＵＥ１００−２のそれぞれは、接続セットアップの要求と共に、Ｄ２Ｄ通信の要求及びＤ２Ｄ端末発見情報を送信する。ｅＮＢ２００は、接続セットアップの要求、Ｄ２Ｄ通信の要求及びＤ２Ｄ端末発見情報を受信する。
【０１９６】
接続セットアップの要求を受信したｅＮＢ２００は、ＵＥ１００−１及びＵＥ１００−２のそれぞれと無線接続を確立するための処理を行う。
【０１９７】
本実施形態において、ＵＥ１００−１及びＵＥ１００−２のそれぞれは、接続セットアップの要求と共に、Ｄ２Ｄ通信のみを行うために無線接続を確立することを示す情報を送信する。
【０１９８】
ステップ４０４において、ｅＮＢ２００とＵＥ１００−１との無線接続が確立される。また、ｅＮＢ２００とＵＥ１００−２との無線接続が確立される。
【０１９９】
ステップ４０５から４１０は、それぞれ第２実施形態のステップ３０７から３１２に対応する。
【０２００】
（第３実施形態の変形例に係る移動通信システムの動作）
次に、第３実施形態の変形例に係る移動通信システムの動作について、図１３を用いて説明する。なお、上述した実施形態及び変形例と異なる部分を中心に説明し、同様の部分は、説明を適宜省略する。
【０２０１】
上述した第３実施形態では、２つのＵＥ１００（ＵＥ１００−１及びＵＥ１００−２）におけるケースを説明した。本変形例では、３つのＵＥ１００（ＵＥ１００−１、ＵＥ１００−２及びＵＥ１００−３）におけるケースを説明する。
【０２０２】
図１３は、第３実施形態の変形例に係る移動通信システムの動作例を示すシーケンス図である。
【０２０３】
図１３に示すように、ＵＥ１００−１、ＵＥ１００−２及びＵＥ１００−３のそれぞれは、ｅＮＢ２００との接続を確立していない。
【０２０４】
図１３に示すように、ステップ５０１において、ｅＮＢ２００は、Ｄｉｓｃｏｖｅｒｙ関連情報をシステム情報ブロックに含めて送信する。ＵＥ１００−１、ＵＥ１００−２及びＵＥ１００−３は、Ｄｉｓｃｏｖｅｒｙ関連情報を受信する。
【０２０５】
ステップ５０２において、ＵＥ１００−１、ＵＥ１００−２及びＵＥ１００−３のそれぞれは、ｅＮＢ２００に接続セットアップを要求する。接続セットアップの要求を受信したｅＮＢ２００は、ＵＥ１００−１、ＵＥ１００−２及びＵＥ１００−３のそれぞれと無線接続を確立するための処理を行う。
【０２０６】
ステップ５０３において、ｅＮＢ２００とＵＥ１００（ＵＥ１００−１、ＵＥ１００−２及びＵＥ１００−３）との無線接続が確立される。
【０２０７】
ステップ５０４において、ＵＥ１００−１、ＵＥ１００−２及びＵＥ１００−３は、Ｄｉｓｃｏｖｅｒｙを実施する。
【０２０８】
ステップ５０５において、ＵＥ１００−１、ＵＥ１００−２及びＵＥ１００−３のそれぞれは、測定を実施する。
【０２０９】
ステップ５０６において、ＵＥ１００−１、ＵＥ１００−２及びＵＥ１００−３のそれぞれは、Ｄ２Ｄ通信の要求、端末測定情報、及び、Ｄ２Ｄ端末発見情報を送信する。ｅＮＢ２００は、Ｄ２Ｄ通信の要求、端末測定情報、及び、Ｄ２Ｄ端末発見情報を受信する。
【０２１０】
ステップ５０７において、ｅＮＢ２００は、ＵＥ１００−１、ＵＥ１００−２及びＵＥ１００−３にＤ２Ｄ通信を行わせるかを判断する。
【０２１１】
本実施形態において、ｅＮＢ２００が、ＵＥ１００−１及びＵＥ１００−２がＤ２Ｄ通信を行った場合にｅＮＢ２００に与える干渉が許容量を超えないと判断し、ＵＥ１００−３がＤ２Ｄ通信を行った場合にｅＮＢ２００に与える干渉が許容量を超えると判断したケースを仮定して説明する。
【０２１２】
ステップ５０８において、ｅＮＢ２００は、ＵＥ１００−１及びＵＥ１００−２のそれぞれにＤ２Ｄ通信を開始するように指示する。すなわち、ｅＮＢ２００は、ｅＮＢ２００に与える干渉が許容量を超えないと判断されたＵＥ１００−１及びＵＥ１００−２にのみＤ２Ｄ通信を開始するように指示する。
【０２１３】
ＵＥ１００−１及びＵＥ１００−２のそれぞれは、Ｄ２Ｄ通信の開始の指示を受信する。
【０２１４】
ステップ５０９において、ｅＮＢ２００は、ＵＥ１００−３にＤ２Ｄ通信を許可しないことを示す情報を送信する。ＵＥ１００−３は、Ｄ２Ｄ通信を許可しないことを示す情報を受信する。
【０２１５】
ステップ５１０において、ＵＥ１００−１及びＵＥ１００−２は、Ｄ２Ｄ通信を行う。
【０２１６】
なお、ｅＮＢ２００は、ＵＥ１００−３に、ＵＥ１００−１及びＵＥ１００−２とコアネットワークを経由した通信（いわゆるセルラ通信）を行うように指示してもよいし、Ｌｏｃａｌｌｙ  Ｒｏｕｔｅｄモード（局所中継モード）で通信を行うように指示してもよい。
【０２１７】
（第３実施形態のまとめ）
本実施形態では、ＵＥ１００−１及びＵＥ１００−２とｅＮＢ２００との無線接続が確立されていない場合であって、ＵＥ１００−１及びＵＥ１００−２のそれぞれは、Ｄ２Ｄ通信のみを行うために無線接続を確立することを示す情報を、接続セットアップの要求と共に送信する。これにより、通常の無線接続の確立において必要な情報であり、かつ、Ｄ２Ｄ通信のみを行うための無線接続の確立において必要でない情報の送受信を省略することができる。
【０２１８】
本実施形態では、ｅＮＢ２００は、ＵＥ１００−１、ＵＥ１００−２及びＵＥ１００−３のうち、ｅＮＢ２００に与える干渉が許容量を超えないと判断されたＵＥ１００−１及びＵＥ１００−２にのみＤ２Ｄ通信を開始するように指示する。これにより、Ｄ２Ｄ通信を有効に活用しつつも、ｅＮＢ２００がＤ２Ｄ通信による干渉を受けることを抑制することができる。
【０２１９】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０２２０】
上述した第１実施形態では、ｅＮＢ２００は、端末測定情報の要求と共に、ＵＥ１００−１及びＵＥ１００−２がＤｉｓｃｏｖｅｒｙを実施することを要求していたが、これに限られない。ｅＮＢ２００は、端末測定情報の要求と別に、Ｄｉｓｃｏｖｅｒｙを実施することを要求してもよい。例えば、ｅＮＢ２００は、ＵＥ１００−１及びＵＥ１００−２のそれぞれがＤ２Ｄ通信を行った場合に、ｅＮＢ２００に与える干渉が許容量を超えないと判断した後に、Ｄｉｓｃｏｖｅｒｙを実施することを要求してもよい。この場合、ＵＥ１００−１及びＵＥ１００−２のそれぞれは、端末測定情報を送信してから、Ｄｉｓｃｏｖｅｒｙの実施の要求を受信した後に、Ｄｉｓｃｏｖｅｒｙを実施する。
【０２２１】
また、上述した第１実施形態において、ｅＮＢ２００は、端末測定情報の要求と共に、確認情報を送信したが、これに限られない。ｅＮＢ２００は、端末測定情報を受信した後に、確認情報を送信してもよい。すなわち、ｅＮＢ２００は、ＵＥ１００−１及びＵＥ１００−２にＤ２Ｄ通信を行わせると判断した場合に、ＵＥ１００へ確認情報を送信してもよい。なお、ｅＮＢ２００は、確認情報を送信しなくてもよい。
【０２２２】
また、上述した第１実施形態において、ＵＥ１００−１及びＵＥ１００−２のそれぞれは、端末測定情報と共に、Ｄ２Ｄ端末発見情報を送信したが、これに限られない。ＵＥ１００−１及びＵＥ１００−２のそれぞれは、端末測定情報の要求と別に、Ｄ２Ｄ端末発見情報を送信してもよい。
【０２２３】
また、上述した第１実施形態において、ＵＥ１００−１及びＵＥ１００−２のそれぞれは、端末測定情報と共に、同意情報を送信したが、これに限られない。ＵＥ１００−１及びＵＥ１００−２のそれぞれは、端末測定情報の要求と別に、同意情報を送信してもよい。
【０２２４】
なお、ＵＥ１００−１及びＵＥ１００−２のそれぞれは、同意情報を送信しなくてもよい。
【０２２５】
また、上述した第１実施形態において、ｅＮＢ２００は、端末測定情報、Ｄ２Ｄ端末発見情報及び同意情報に基づいて、ＵＥ１００−１及びＵＥ１００−２にＤ２Ｄ通信を行わせるかを判断したが、これに限られない。
【０２２６】
例えば、ｅＮＢ２００は、同意情報に基づく判断を省略することができる。また、ｅＮＢ２００は、Ｄ２Ｄ端末発見情報に基づく判断を省略することもできる。すなわち、ｅＮＢ２００は、端末測定情報のみに基づいて、ＵＥ１００−１及びＵＥ１００−２にＤ２Ｄ通信を行わせるかを判断してもよい。この場合、ｅＮＢ２００は、Ｄ２Ｄ通信を開始するように指示するとともに、Ｄｉｓｃｏｖｅｒｙの実施を要求してもよい。
【０２２７】
また、上述した第２実施形態において、ｅＮＢ２００は、旧端末測定情報と異なる新端末測定情報を送信するようにＵＥ１００に明示的に要求しなくてもよい。例えば、ＵＥ１００は、ｅＮＢ２００から明示的な要求がなくても、所定の周期で新端末測定情報を送信してもよい。
【０２２８】
また、上述した第３実施形態において、ＵＥ１００−１及びＵＥ１００−２のそれぞれは、接続セットアップの要求と共に、Ｄ２Ｄ通信の要求及びＤ２Ｄ端末発見情報を送信したが、これに限られない。ＵＥ１００−１及びＵＥ１００−２のそれぞれは、接続セットアップの要求、Ｄ２Ｄ通信の要求及びＤ２Ｄ端末発見情報を別々に送信してもよい。
【０２２９】
また、上述した第３実施形態の変形例において、ＵＥ１００−１、ＵＥ１００−２及びＵＥ１００−３のそれぞれは、Ｄ２Ｄ通信の要求、端末測定情報、及び、Ｄ２Ｄ端末発見情報を送信するが、これに限られない。ＵＥ１００−１、ＵＥ１００−２及びＵＥ１００−３のそれぞれは、Ｄ２Ｄ通信の要求、端末測定情報、及び、Ｄ２Ｄ端末発見情報を別々に送信してもよい。
【０２３０】
また、上述した実施形態では、ｅＮＢ２００がＵＥ１００−１及びＵＥ１００−２にＤ２Ｄ通信を行わせるかを判断していたが、これに限られない。また、ｅＮＢ２００がＵＥ１００−１及びＵＥ１００−２のそれぞれが、Ｄ２Ｄ通信をサポートしているかを判断していたが、これに限られない。例えば、ｅＮＢ２００の上位装置であるＭＭＥ／Ｓ−ＧＷ３００が当該判断を行ってもよい。
【０２３１】
また、上述した実施形態において、ｅＮＢ２００は、自セル配下でのＤ２Ｄ通信を許可する旨の情報をユニキャスト又はブロードキャストでＵＥ１００に通知してもよい。
【０２３２】
また、上述した実施形態において、ｅＮＢ２００は、ＵＥ１００がｅＮＢ２００との無線接続（ＲＲＣ接続）を確立した状態でのみＤ２Ｄ通信を行う場合に、ＵＥ１００にＤ２Ｄ通信を開始するように指示してもよい。これによれば、上述した第１実施形態の変形例のように、Ｄ２Ｄ通信を行っているＵＥ１００がｅＮＢ２００に干渉を与えると判断された場合に、ｅＮＢ２００は、Ｄ２Ｄ通信を行っているＵＥ１００にＤ２Ｄ通信を終了するように指示することができる。ｅＮＢ２００は、ＵＥ１００がｅＮＢ２００との無線接続を確立した状態でのみＤ２Ｄ通信を行うことをユニキャスト又はブロードキャストでＵＥ１００に通知してもよい。
【０２３３】
なお、例外的に、ｅＮＢ２００が管理するセル２５０にＵＥ１００が在圏しない場合又はＵＥ１００が緊急的にＤ２Ｄ通信を行う必要がある場合は、ｅＮＢ２００との無線接続を確立せずにＵＥ１００にＤ２Ｄ通信を開始するように指示してもよい。
【０２３４】
また、上述した実施形態において、ＵＥ１００は、端末測定情報としてメジャーメントレポート（ｍｅａｓｕｒｅｍｅｎｔ  ｒｅｐｏｒｔ）を送信してもよい。
【０２３５】
また、上述した実施形態において、上述した判断方法Ａ１を用いて、ｅＮＢ２００は、ｅＮＢ２００に与える干渉が許容量を超えないか否かを判断する場合に、距離Ｘ１及び距離Ｘ２のうち、最小の距離に基づいてのみ、ＵＥ１００がｅＮＢ２００に与える干渉が許容量を超えないか否かを判断してもよい。ｅＮＢ２００は、最小の距離に基づいて判断した場合に、ＵＥ１００がｅＮＢ２００に与える干渉が許容量を超えないと判断した場合は、全てのＵＥ１００に対してｅＮＢ２００に与える干渉が許容量を超えないと判断することができる。
【０２３６】
また、上述した実施形態において、ｅＮＢ２００は、ＵＥ１００がｅＮＢ２００に与える干渉が許容量を超えないか否かを判断する場合に、端末測定情報に加えて、ＵＥ１００からｅＮＢ２００へのパスロス情報に基づいて、ＵＥ１００がｅＮＢ２００に与える干渉が許容量を超えないか否かを判断してもよい。
【０２３７】
また、上述した第１実施形態において、ｅＮＢ２００は、端末測定情報の要求と共に、確認情報を送信したが、これに限られない。ｅＮＢ２００は、端末測定情報を受信した後に、確認情報を送信してもよい。すなわち、ｅＮＢ２００は、ＵＥ１００−１及びＵＥ１００−２にＤ２Ｄ通信を行わせると判断した場合に、ＵＥ１００へ確認情報を送信してもよい。
【０２３８】
また、上述した実施形態において、ｅＮＢ２００は、Ｄ２Ｄ通信を行った場合又はＤ２Ｄ通信を行っている場合にｅＮＢ２００に与える干渉が許容量を超えると判断した場合には、Ｄ２Ｄ通信を許可しないことを示す情報をユニキャスト又はブロードキャストでＵＥ１００に通知してもよい。
【０２３９】
上述した各実施形態及び各変形例は、それぞれ適宜組み合わせてもよいことは勿論である。
【０２４０】
上述した実施形態では、本発明をＬＴＥシステムに適用する一例を説明したが、ＬＴＥシステムに限定されるものではなく、ＬＴＥシステム以外のシステムに本発明を適用してもよい。
【０２４１】
なお、米国仮出願第６１／７６６４６１号（２０１３年２月１９日出願）の全内容が、参照により、本願明細書に組み込まれている。
【産業上の利用可能性】
【０２４２】
以上のように、本発明に係る移動通信システム、基地局、ユーザ端末及びプロセッサは、Ｄ２Ｄ通信を行うユーザ端末による基地局への干渉を抑制できるため、移動通信分野において有用である。
【図１】
2014129356.tif 000003
【図２】
2014129356.tif 000004
【図３】
2014129356.tif 000005
【図４】
2014129356.tif 000006
【図５】
2014129356.tif 000007
【図６】
2014129356.tif 000008
【図７】
2014129356.tif 000009
【図８】
2014129356.tif 000010
【図９】
2014129356.tif 000011
【図１０】
2014129356.tif 000012
【図１１】
2014129356.tif 000013
【図１２】
2014129356.tif 000014
【図１３】
2014129356.tif 000015
【国際調査報告】
2014129356.tif 000016
2014129356.tif 000017
2014129356.tif 000018
2014129356.tif 000019